(57)【要約】【課題】ユーザーが容易に所望の位置に可変抵抗を位置させることができるようにすること。【解決手段】音楽再生装置１は、可変抵抗ＶＲ１〜ＶＲ３を有するロータリースイッチＳＷ９付ポテンショメータ６と、可変抵抗ＶＲ１、ＶＲ２に接続されたオフセット抵抗Ｒ１〜Ｒ８と、オフセット抵抗Ｒ１〜Ｒ８と可変抵抗ＶＲ１、ＶＲ２とによる合成抵抗を変化させるためのスイッチＳＷ１〜ＳＷ８と、ロータリースイッチ付ポテンショメータ６を操作するためのツマミと、マイクロコンピュータ２と、を備える。マイクロコンピュータ２は、可変抵抗ＶＲ３に所定電位を与えた場合の、可変抵抗ＶＲ３による分圧値を記憶し、記憶した分圧値に応じた減衰量が、ツマミのセンター位置での減衰量となるように、スイッチＳＷ１〜ＳＷ８を制御する。【選択図】図１
2018201178.tif 000002
【特許請求の範囲】
【請求項１】
可変抵抗を有するロータリースイッチ付ポテンショメータと、
前記可変抵抗に接続されたオフセット抵抗と、
前記オフセット抵抗と前記可変抵抗とによる合成抵抗を変化させるためのスイッチと、
前記ロータリースイッチ付ポテンショメータを操作するためのツマミと、
制御部と、を備え、
前記制御部は、
前記可変抵抗に所定電位を与えた場合の、前記可変抵抗による分圧値を記憶し、
記憶した分圧値に応じた減衰量が、前記ツマミのセンター位置での減衰量となるように、前記スイッチを制御することを特徴とする電子機器。
【請求項２】
前記制御部は、
前記スイッチにより、記憶した分圧値に応じた減衰量が、前記ツマミのセンター位置での減衰量とできない場合、前記ツマミのセンター位置での減衰量が、記憶した分圧値に応じた減衰量に最も近くなるように、前記スイッチを制御し、
記憶した分圧値に応じた減衰量と、前記ツマミセンター位置での減衰量と、の差分をデジタル音声信号で調整することを特徴とする請求項１に記載の電子機器。
【請求項３】
前記ロータリースイッチ付ポテンショメータは、
左チャンネル音声信号用の第１可変抵抗と、
右チャンネル音声信号用の第２可変抵抗と、
第３可変抵抗と、を有するロータリースイッチ付一軸三連ポテンショメータであり、
前記制御部は、前記第３可変抵抗に所定電位を与えた場合の、前記第３可変抵抗による分圧値を記憶することを特徴とする請求項１又は２に記載の電子機器。
【請求項４】
前記ロータリースイッチ付ポテンショメータは、
左チャンネル音声信号用の第１可変抵抗と、
右チャンネル音声信号用の第２可変抵抗と、
を有するロータリースイッチ付一軸二連ポテンショメータであり、
いずれかの可変抵抗に前記左チャンネル音声信号若しくは右チャンネル音声信号が出力されるか、又は、いずれかの可変抵抗に所定電位が与えられるかを切り替えるための第１切替スイッチと、前記左チャンネル音声信号若しくは右チャンネル音声信号を出力するか、又は、分圧値を記憶するかを切り替えるための第２切替スイッチと、をさらに備えることを特徴とする請求項１又は２に記載の電子機器。
【請求項５】
前記オフセット抵抗は、
前記第１可変抵抗の一端に直列に接続された第１オフセット抵抗と、
前記第１オフセット抵抗に並列に接続された第２オフセット抵抗と、
前記第１可変抵抗の他端に直列に接続された第３オフセット抵抗と、
前記第３オフセット抵抗に並列に接続された第４オフセット抵抗と、
前記第２可変抵抗の一端に直列に接続された第５オフセット抵抗と、
前記第５オフセット抵抗に並列に接続された第６オフセット抵抗と、
前記第２可変抵抗の他端に直列に接続された第７オフセット抵抗と、
前記第８オフセット抵抗に並列に接続された第８オフセット抵抗と、を含み、
前記スイッチは、
前記第１オフセット抵抗に並列に接続された第１スイッチと、
前記第２オフセット抵抗に直列に接続された第２スイッチと、
前記第３オフセット抵抗に並列に接続された第３スイッチと、
前記第４オフセット抵抗に直列に接続された第４スイッチと、
前記第５オフセット抵抗に並列に接続された第５スイッチと、
前記第６オフセット抵抗に直列に接続された第６スイッチと、
前記第７オフセット抵抗に並列に接続された第７スイッチと、
前記第８オフセット抵抗に直列に接続された第８スイッチと、を含むことを特徴とする請求項３又は４に記載の電子機器。
【請求項６】
デジタル音声信号をアナログ音声信号に変換するＤ／Ａコンバータをさらに備え、
前記制御部は、前記Ｄ／Ａコンバータにより、記憶した分圧値に応じた減衰量と、前記ツマミセンター位置での減衰量と、の差分をデジタル音声信号で調整することを特徴とする請求項２に記載の電子機器。
【請求項７】
設定スイッチをさらに備え、
前記制御部は、前記設定スイッチの操作を受け付けた場合、前記可変抵抗に所定電位を与えた場合の、前記可変抵抗による分圧値を記憶することを特徴とする請求項１〜６のいずれか１項に記載の電子機器。
【発明の詳細な説明】
【技術分野】
【０００１】
本発明は、ロータリースイッチ付ポテンショメータを有する電子機器に関する。
【背景技術】
【０００２】
ポータブルヘッドホンアンプのような電子機器において、ツマミとなる部分に、ロータリースイッチ付のポテンショメータが使用されている場合がある。この場合、電子機器の電源のオン／オフと、可変抵抗の分圧による音量等の調整と、がツマミにより同時に実現される。ユーザーは、電源をオフするとき、ロータリースイッチをオフするために、ツマミをいっぱいに回すこととなり、電源をオフする前の調整状態は、必然的に維持されない。このため、ユーザーは、電源をオンするたびに、調整をやり直すことになる。
【０００３】
ツマミの回転による調整を行う場合の調整方法として、例えば、音量等の調整にマイクロコンピュータが介在し、信号量の調整回路をマイクロコンピュータが制御する場合等においては、調整数値化された調整量を表示装置（例えば、ＬＣＤ、ＯＬＥＤ、ＶＦＤ）に表示する。ユーザーは、それを確認しながら、調整すればよい。しかしながら、上記のような、ポテンショメータが使用される場合、信号量調整回路が、ポテンショメータの可変抵抗における分圧のみで成り立っていれば、マイクロコンピュータは、信号量の調整に介在する必要がなく、表示装置のない製品仕様となる。
【０００４】
また、表示装置のないような製品仕様の場合でも、ツマミの周囲に目盛を付け、ユーザーは、それを目安にツマミを合わせるという場合が考えられる。しかしながら、製品の形状による制約、デザイン性により、ツマミの周囲に目盛のない場合もある。そのような場合、ユーザーの調整方法としては、ツマミの角度をおおよその位置に視覚的に合わせるか、又は、調整による実際の出力を確認しながら合わせることになる。
【０００５】
そのような場合、もしユーザーがいつも所望の調整位置に設定したいと考える場合でも、上記のような操作による調整は、調整するたびに誤差の発生が予想される。また、ポテンショメータの抵抗特性カーブによっては、少しの回転で音量が大きく変わる角度位置もあり、さらに調整の再現性が難しくなる。
【０００６】
なお、特許文献１には、可変抵抗を用いて回転角度を検出し、検出した回転角度を記憶する技術が開示されている。
【先行技術文献】
【特許文献】
【０００７】
【特許文献１】特開平５−２８３９５７号公報
【発明の概要】
【発明が解決しようとする課題】
【０００８】
上述のように、ユーザーは、所望の位置に可変抵抗を位置させることが難しいという問題がある。
【０００９】
本発明の目的は、ユーザーが容易に所望の位置に可変抵抗を位置させることができるようにすることである。
【課題を解決するための手段】
【００１０】
第１の発明の電子機器は、可変抵抗を有するロータリースイッチ付ポテンショメータと、前記可変抵抗に接続されたオフセット抵抗と、前記オフセット抵抗と前記可変抵抗とによる合成抵抗を変化させるためのスイッチと、前記ロータリースイッチ付ポテンショメータを操作するためのツマミと、制御部と、を備え、前記制御部は、前記可変抵抗に所定電位を与えた場合の、前記可変抵抗による分圧値を記憶し、記憶した分圧値に応じた減衰量が、前記ツマミのセンター位置での減衰量となるように、前記スイッチを制御することを特徴とする。
【００１１】
本発明では、制御部は、可変抵抗に所定電位を与えた場合の、可変抵抗による分圧値を記憶している。また、制御部は、記憶した分圧値に応じた減衰量が、ツマミのセンター位置での減衰量となるように、スイッチを制御する。このため、ユーザーは、ツマミをセンター位置に位置させれば、所望の位置に可変抵抗を位置させることできる。このように、ツマミ調整のターゲット位置をセンター位置にすることで、ユーザーは、ツマミのセンター位置（１２時の位置）に、目盛がなくても視覚的に合わせやすいというメリットがある。また、ロータリースイッチ付ポテンショメータにセンタークリック品を用いれば、ユーザーは、感触的にも調整しやすくなる。また、所望の位置にツマミを合わせるために、ＬＥＤ等の表示、効果音等も不要である。
【００１２】
第２の発明の電子機器は、第１の発明の電子機器において、前記制御部は、前記スイッチにより、記憶した分圧値に応じた減衰量が、前記ツマミのセンター位置での減衰量とできない場合、前記ツマミのセンター位置での減衰量が、記憶した分圧値に応じた減衰量に最も近くなるように、前記スイッチを制御し、記憶した分圧値に応じた減衰量と、前記ツマミセンター位置での減衰量と、の差分をデジタル音声信号で調整することを特徴とする。
【００１３】
スイッチにより、記憶した分圧値に応じた減衰量が、ツマミのセンター位置での減衰量とできない場合がある。このため、本発明では、制御部は、ツマミのセンター位置での減衰量が、記憶した分圧値に応じた減衰量に最も近くなるように、スイッチを制御する。そして、制御部は、記憶した分圧値に応じた減衰量と、ツマミセンター位置での減衰量と、の差分をデジタル音声信号で調整する。
【００１４】
第３の発明の電子機器は、第１又は第２の発明の電子機器において、前記ロータリースイッチ付ポテンショメータは、左チャンネル音声信号用の第１可変抵抗と、右チャンネル音声信号用の第２可変抵抗と、第３可変抵抗と、を有するロータリースイッチ付一軸三連ポテンショメータであり、前記制御部は、前記第３可変抵抗に所定電位を与えた場合の、前記第３可変抵抗による分圧値を記憶することを特徴とする。
【００１５】
第４の発明の電子機器は、第１又は第２の発明の電子機器において、前記ロータリースイッチ付ポテンショメータは、左チャンネル音声信号用の第１可変抵抗と、右チャンネル音声信号用の第２可変抵抗と、を有するロータリースイッチ付一軸二連ポテンショメータであり、いずれかの可変抵抗に前記左チャンネル音声信号若しくは右チャンネル音声信号が出力されるか、又は、いずれかの可変抵抗に所定電位が与えられるかを切り替えるための第１切替スイッチと、前記左チャンネル音声信号若しくは右チャンネル音声信号を出力するか、又は、分圧値を記憶するかを切り替えるための第２切替スイッチと、をさらに備えることを特徴とする。
【００１６】
本発明では、音声信号用の第１可変抵抗及び第２可変抵抗のみが必要となり、別の可変抵抗が不要となる。
【００１７】
第５の発明の電子機器は、第３又は第４の発明の電子機器において、前記オフセット抵抗は、前記第１可変抵抗の一端に直列に接続された第１オフセット抵抗と、前記第１オフセット抵抗に並列に接続された第２オフセット抵抗と、前記第１可変抵抗の他端に直列に接続された第３オフセット抵抗と、前記第３オフセット抵抗に並列に接続された第４オフセット抵抗と、前記第２可変抵抗の一端に直列に接続された第５オフセット抵抗と、前記第５オフセット抵抗に並列に接続された第６オフセット抵抗と、前記第２可変抵抗の他端に直列に接続された第７オフセット抵抗と、前記第８オフセット抵抗に並列に接続された第８オフセット抵抗と、を含み、前記スイッチは、前記第１オフセット抵抗に並列に接続された第１スイッチと、前記第２オフセット抵抗に直列に接続された第２スイッチと、前記第３オフセット抵抗に並列に接続された第３スイッチと、前記第４オフセット抵抗に直列に接続された第４スイッチと、前記第５オフセット抵抗に並列に接続された第５スイッチと、前記第６オフセット抵抗に直列に接続された第６スイッチと、前記第７オフセット抵抗に並列に接続された第７スイッチと、前記第８オフセット抵抗に直列に接続された第８スイッチと、を含むことを特徴とする。
【００１８】
第６の発明の電子機器は、第２の発明の電子機器において、デジタル音声信号をアナログ音声信号に変換するＤ／Ａコンバータをさらに備え、前記制御部は、前記Ｄ／Ａコンバータにより、記憶した分圧値に応じた減衰量と、前記ツマミセンター位置での減衰量と、の差分をデジタル音声信号で調整することを特徴とする。
【００１９】
第７の発明の電子機器は、第１〜第６のいずれかの発明の電子機器において、設定スイッチをさらに備え、前記制御部は、前記設定スイッチの操作を受け付けた場合、前記可変抵抗に所定電位を与えた場合の、前記可変抵抗による分圧値を記憶することを特徴とする。
【００２０】
本発明では、制御部は、設定スイッチの操作を受け付けた場合、可変抵抗に所定電位を与えた場合の、可変抵抗による分圧値を記憶する。これにより、ユーザーは、設定スイッチを操作することで、可変抵抗の所望の位置をツマミのセンター位置に設定することができる。
【発明の効果】
【００２１】
本発明によれば、ユーザーは、容易に所望の位置に可変抵抗を位置させることができる。
【図面の簡単な説明】
【００２２】
【図１】本発明の第１実施形態に係る音楽再生装置の構成を示す図である。
【図２】スイッチのオン／オフを変化させた場合の可変抵抗に接続された抵抗値を示す表である。
【図３】各パターンにおけるツマミの各位置における減衰量を示す表である。
【図４】各パターンにおけるツマミの各位置における減衰量を示すグラフである。
【図５】各パターンにおけるツマミの各位置における減衰量を示すグラフである。
【図６】本発明の第２実施形態に係る音楽再生装置の構成を示す図である。
【図７】各パターンにおけるツマミの各位置における減衰量を示す表である（変形例）。
【図８】各パターンにおけるツマミの各位置における減衰量を示すグラフである（変形例）。
【図９】各パターンにおけるツマミの各位置における減衰量を示すグラフである（変形例）。
【発明を実施するための形態】
【００２３】
以下、本発明の実施形態について説明する。
【００２４】
（第１実施形態）
図１は、本発明の第１実施形態に係る音楽再生装置の構成を示す図である。音楽再生装置１（電子機器）は、音声信号に基づいて、音楽を再生する。音楽再生装置１は、マイクロコンピュータ２と、Ｄ／Ａコンバータ（以下、「ＤＡＣ」という。）３と、増幅器４、５と、ロータリースイッチ付一軸三連ポテンショメータ（以下、単に「ポテンショメータ」という。）６と、スイッチＳＷ１〜ＳＷ８、ＳＷ１０と、オフセット抵抗Ｒ１〜Ｒ８と、を備える。なお、増幅器４、５は、必須の構成ではない。
【００２５】
マイクロコンピュータ２（制御部）は、ＣＰＵ（Central Processing Unit）、ＲＯＭ（Read Only Memory）、ＲＡＭ（Random Access Memory）、入出力インターフェース等のハードウェアから構成されている。マイクロコンピュータ２は、音楽再生装置１を構成する各部を制御する。ＤＡＣ３は、Ｌチャンネル、Ｒチャンネルのデジタル音声信号をアナログ音声信号にＤ／Ａ変換する。ＤＡＣ３によりＤ／Ａ変換されたアナログ音声信号は、増幅器４、５に出力される。増幅器４は、Ｌチャンネルのアナログ音声信号を増幅する。増幅器４により増幅されたＬチャンネルのアナログ音声信号は、ポテンショメータ６の可変抵抗ＶＲ１に出力される。増幅器５は、Ｒチャンネルのアナログ音声信号を増幅する。増幅器５により増幅されたＲチャンネルのアナログ音声信号は、ポテンショメータ６の可変抵抗ＶＲ２に出力される。
【００２６】
ポテンショメータ６は、可変抵抗ＶＲ１〜ＶＲ３、ロータリースイッチＳＷ９を有する。可変抵抗ＶＲ１〜ＶＲ３は、ユーザー操作により、抵抗値が変化する。可変抵抗ＶＲ１（第１可変抵抗）は、Ｌ（左）チャンネルのアナログ音声信号用である。可変抵抗ＶＲ１の一端は、抵抗Ｒ１を介して、増幅器４に接続されている。可変抵抗ＶＲ１の他端は、抵抗Ｒ３を介して、グラウンドＧＮＤに接続されている。可変抵抗ＶＲ１は、Ｌチャンネルのアナログ音声信号を分圧する。可変抵抗ＶＲ１により分圧されたＬチャンネルのアナログ音声信号は、Ｌチャンネル出力端子に出力される。
【００２７】
可変抵抗ＶＲ２（第２可変抵抗）は、Ｒ（右）チャンネルのアナログ音声信号用である。可変抵抗ＶＲ２の一端は、オフセット抵抗Ｒ５を介して、増幅器５に接続されている。可変抵抗ＶＲ２の他端は、オフセット抵抗Ｒ７を介して、グラウンドＧＮＤに接続されている。可変抵抗ＶＲ２は、Ｒチャンネルのアナログ音声信号を分圧する。可変抵抗ＶＲ２により分圧されたＲチャンネルのアナログ音声信号は、Ｒチャンネル出力端子に出力される。
【００２８】
可変抵抗ＶＲ３（第３可変抵抗）は、可変抵抗ＶＲ１、ＶＲ２の位置を記憶するための可変抵抗である。可変抵抗ＶＲ３の一端は、所定電位の電圧を供給する電源ＶＣＣに接続されている。可変抵抗ＶＲ３の他端は、グラウンドＧＮＤに接続されている。可変抵抗ＶＲ３は、電源ＶＣＣからの電圧を分圧する。可変抵抗ＶＲ３による分圧値は、マイクロコンピュータ２のＡ／ＤポートＡＤＣ１に出力される。ロータリースイッチＳＷ９の一端は、マイクロコンピュータ２の入力ポートＩＮ１に接続されている。ロータリースイッチＳＷ９の他端は、グラウンドＧＮＤに接続されている。可変抵抗ＶＲ１〜ＶＲ３は、１０ｋΩである。
【００２９】
スイッチＳＷ１０（設定スイッチ）は、可変抵抗ＶＲ１、ＶＲ２の位置を記憶するためのスイッチである。スイッチＳＷ１０の一端は、マイクロコンピュータ２の入力ポートＩＮ２に接続されている。スイッチＳＷ１０の他端は、グラウンドＧＮＤに接続されている。なお、スイッチＳＷ１０は、タクトスイッチ、スライドスイッチ、トグルスイッチ等であればよい。また、ロータリースイッチＳＷ９、スイッチＳＷ１０において、ロー／ハイの極性が特定できればよいため、ロータリースイッチＳＷ９、スイッチＳＷ１０の他端は、必ずしもグランドＧＮＤに接続される必要はない。
【００３０】
オフセット抵抗Ｒ１（第１オフセット抵抗）は、増幅器４と可変抵抗ＶＲ１との間（可変抵抗Ｒ１の一端）に接続されている。オフセット抵抗Ｒ２（第２オフセット抵抗）は、オフセット抵抗Ｒ１に並列に接続されている。スイッチＳＷ１（第１スイッチ）は、オフセット抵抗Ｒ１に並列に接続されている。スイッチＳＷ２（第２スイッチ）は、オフセット抵抗Ｒ２に直列に接続されている。オフセット抵抗Ｒ３（第３オフセット抵抗）は、可変抵抗ＶＲ１とグラウンドＧＮＤとの間（可変抵抗Ｒ２の他端）に接続されている。オフセット抵抗Ｒ４（第４オフセット抵抗）は、オフセット抵抗Ｒ３に並列に接続されている。スイッチＳＷ（第３スイッチ）３は、オフセット抵抗Ｒ３に並列に接続されている。スイッチＳＷ４（第４スイッチ）は、オフセット抵抗Ｒ４に直列に接続されている。
【００３１】
オフセット抵抗Ｒ５（第５オフセット抵抗）は、増幅器５と可変抵抗Ｒ２との間（可変抵抗Ｒ２の一端）に接続されている。オフセット抵抗Ｒ６（第６オフセット抵抗）は、オフセット抵抗Ｒ５に並列に接続されている。スイッチＳＷ５（第５スイッチ）は、オフセット抵抗Ｒ５に並列に接続されている。スイッチＳＷ６（第６スイッチ）は、オフセット抵抗Ｒ６に直列に接続されている。オフセット抵抗Ｒ７（第７オフセット抵抗）は、可変抵抗Ｒ２とグラウンドＧＮＤとの間（可変抵抗Ｒ２の他端）に接続されている。オフセット抵抗Ｒ８（第８オフセット抵抗）は、オフセット抵抗Ｒ７に並列に接続されている。スイッチＳＷ７（第７スイッチ）は、オフセット抵抗Ｒ７に並列に接続されている。スイッチＳＷ８（第８スイッチ）は、オフセット抵抗Ｒ８に直列に接続されている。オフセット抵抗Ｒ１、Ｒ３、Ｒ５、Ｒ７は、２２ｋΩである。オフセット抵抗Ｒ２、Ｒ４、Ｒ６、Ｒ８は、１０ｋΩである。
【００３２】
スイッチＳＷ１〜ＳＷ８をオン／オフすることで、可変抵抗ＶＲ１、ＶＲ２に接続された抵抗値が変化する。すなわち、スイッチＳＷ１〜ＳＷ８は、可変抵抗ＶＲ１、ＶＲ２とオフセット抵抗Ｒ１〜Ｒ８とによる合成抵抗を変化させるためのスイッチである。図２は、スイッチＳＷ１〜ＳＷ８のオン／オフを変化させた場合の可変抵抗ＶＲ１、ＶＲ２に接続された抵抗値を示す表である。スイッチＳＷ１、ＳＷ５がオン、スイッチＳＷ２、ＳＷ６がオフ、スイッチＳＷ３、ＳＷ７がオン、スイッチＳＷ４、ＳＷ８がオフである場合（パターン１）、可変抵抗ＶＲ１、ＶＲ２に上側で接続された抵抗の抵抗値（Ｒｏｕ）は、０Ωであり、可変抵抗ＶＲ１、ＶＲ２に下側で接続された抵抗の抵抗値（Ｒｏｌ）は、０Ωである。スイッチＳＷ１〜ＳＷ８が全てオフである場合（パターン２）、可変抵抗ＶＲ１、ＶＲ２に上側で接続された抵抗の抵抗値（Ｒｏｕ）は、２２ｋΩであり、可変抵抗ＶＲ１、ＶＲ２に下側で接続された抵抗の抵抗値（Ｒｏｌ）は、２２ｋΩである。
【００３３】
スイッチＳＷ１、ＳＷ５がオフであり、スイッチＳＷ２、ＳＷ６がオフであり、スイッチＳＷ３、ＳＷ７がオンであり、スイッチＳＷ４、ＳＷ８がオフである場合（パターン３）、可変抵抗ＶＲ１、ＶＲ２に上側で接続された抵抗の抵抗値（Ｒｏｕ）は、２２ｋΩであり、可変抵抗ＶＲ１、ＶＲ２に下側で接続された抵抗の抵抗値（Ｒｏｌ）は、０Ωである。スイッチＳＷ１、ＳＷ５がオンであり、スイッチＳＷ２、ＳＷ６がオフであり、スイッチＳＷ３、ＳＷ７がオフであり、スイッチＳＷ４、ＳＷ８がオフである場合（パターン４）、可変抵抗ＶＲ１、ＶＲ２に上側で接続された抵抗の抵抗値（Ｒｏｕ）は、０Ωであり、可変抵抗ＶＲ１、ＶＲ２に下側で接続された抵抗の抵抗値（Ｒｏｌ）は、２２ｋΩである。
【００３４】
スイッチＳＷ１、ＳＷ５がオンであり、スイッチＳＷ２、ＳＷ６がオフであり、スイッチＳＷ３、ＳＷ７がオフであり、スイッチＳＷ４、ＳＷ８がオンである場合（パターン５）、可変抵抗ＶＲ１、ＶＲ２に上側で接続された抵抗の抵抗値（Ｒｏｕ）は、０Ωであり、可変抵抗ＶＲ１、ＶＲ２に下側で接続された抵抗の抵抗値（Ｒｏｌ）は、６．８７５ｋΩである。スイッチＳＷ１、ＳＷ５がオフであり、スイッチＳＷ２、ＳＷ６がオンであり、スイッチＳＷ３、ＳＷ７がオンであり、スイッチＳＷ４、ＳＷ８がオフである場合（パターン６）、可変抵抗ＶＲ１、ＶＲ２に上側で接続されて抵抗の抵抗値（Ｒｏｕ）は、６．８７５ｋΩであり、可変抵抗ＶＲ１、ＶＲ２に下側で接続された抵抗の抵抗値（Ｒｏｌ）は、０Ωである。
【００３５】
スイッチＳＷ１、ＳＷ５がオフであり、スイッチＳＷ２、ＳＷ６がオフであり、スイッチＳＷ３、ＳＷ７がオフであり、スイッチＳＷ４、ＳＷ８がオンである場合（パターン７）、可変抵抗ＶＲ１、ＶＲ２に上側で接続された抵抗の抵抗値（Ｒｏｕ）は、２２ｋΩであり、可変抵抗ＶＲ１、ＶＲ２に下側で接続された抵抗の抵抗値（Ｒｏｌ）は、６．８７５ｋΩである。スイッチＳＷ１、ＳＷ５がオフであり、スイッチＳＷ２、ＳＷ６がオンであり、スイッチＳＷ３、ＳＷ７がオフであり、スイッチＳＷ４、ＳＷ８がオフである場合（パターン８）、可変抵抗ＶＲ１、ＶＲ２に上側で接続された抵抗の抵抗値（Ｒｏｕ）は、６．８７５ｋΩであり、可変抵抗ＶＲ１、ＶＲ２に下側で接続された抵抗の抵抗値（Ｒｏｌ）は、２２ｋΩである。スイッチＳＷ１、ＳＷ５がオフであり、スイッチＳＷ２、ＳＷ６は、オンであり、スイッチＳＷ３、ＳＷ７は、オフであり、スイッチＳＷ４、ＳＷ８がオンである場合（パターン９）、可変抵抗ＶＲ１、ＶＲ２に上側で接続された抵抗の抵抗値（Ｒｏｕ）は、６．８７５ｋΩであり、可変抵抗ＶＲ１、ＶＲ２に下側で接続された抵抗の抵抗値（Ｒｏｌ）は、６．８７５ｋΩである。
【００３６】
図３は、各パターンにおけるポテンショメータ６を操作（音量を調整）するためのツマミの各位置における減衰量を示す表である。図４は、各パターンにおけるツマミの各位置における減衰量を示すグラフである。
【００３７】
音楽再生装置１は、音量調整モードとして、ノーマルモードと、メモリーモードと、を有する。ノーマルモードは、ツマミの位置どおりに音量を調整するモードである。メモリーモードは、ユーザーの所望の音量を記憶し、所望の音量がツマミのセンター位置となるように、音量を調整するモードである。初期設定は、ノーマルモードであり、ユーザーは、ノーマルモードで音量を調整する。ノーマルモード時、各スイッチは、パターン１の設定であり、Ｒｏｕ、Ｒｏｌは、０Ωである。ユーザーは、所望の音量を設定したい場合、スイッチＳＷ１０を操作する。マイクロコンピュータ２は、スイッチＳＷ１０のオン操作を受け付けると、可変抵抗ＶＲ１、ＶＲ２の位置を記憶するため、Ａ／ＤポートＡＤＣ１のＡ／Ｄ値を読み取り、読み取ったＡ／Ｄ値を記憶する。
【００３８】
マイクロコンピュータ２は、記憶したＡ／Ｄ値から計算される減衰量と、図２〜４に示すパターンとにおけるツマミセンター位置における減衰量と、を比較し、最も適したパターンを選択する。この場合、マイクロコンピュータ２は、記憶したＡ／Ｄ値に相当する減衰量以上で、最も近いパターンを選択する。マイクロコンピュータ２は、選択したパターンに対して、記憶したＡ／Ｄ値に相当する減衰量が超えている場合には、その差分をＤＡＣ３によりアッテネートする。
【００３９】
可変抵抗ＶＲ３は、可変抵抗ＶＲ１、ＶＲ２と同じ抵抗変化特性（Ａカーブ、Ｂカーブ等）である。例えば、可変抵抗特性がＡカーブである場合（Ａ１５特性）、ツマミのセンターは、図５に示す位置となる。また、可変抵抗特性がＢカーブである場合、ツマミのセンターは、図５に示す位置となる。例えば、可変抵抗特性がＢカーブである場合に、ユーザーが減衰量０．４でスイッチＳＷ１０をオン操作し、メモリーモードに設定したとする。この場合、マイクロコンピュータ２は、パターン２、又は、パターン９を選択する。マイクロコンピュータ２は、パターン２を選択する場合、全てのスイッチをオフとする。また、マイクロコンピュータ２は、パターン９を選択する場合、スイッチＳＷ２、ＳＷ４、ＳＷ６、ＳＷ８をオンとし、スイッチＳＷ１、ＳＷ３、ＳＷ５、ＳＷ７をオフとする。
【００４０】
パターン２、パターン９のツマミセンターにおける減衰量は、０．５であるため、ユーザーが設定した０．４と一致させるためには、０．８倍（−１．９４ｄＢ）する必要がある。このため、マイクロコンピュータ２は、ＤＡＣ３により、−１．９４ｄＢアッテネートして、アナログ出力させる。
【００４１】
マイクロコンピュータ２は、スイッチＳＷ１〜ＳＷ８により、記憶した分圧値に応じた減衰量が、ツマミのセンター位置での減衰量となるように、スイッチＳＷ１〜ＳＷ８を制御する。上述のように、マイクロコンピュータ２は、スイッチＳＷ１〜ＳＷ８により、記憶した分圧値に応じた減衰量が、ツマミのセンター位置での減衰量とできない場合、ツマミのセンター位置での減衰量が、記憶した分圧値に応じた減衰量に最も近くなるように、スイッチＳＷ１〜ＳＷ８を制御する。そして、マイクロコンピュータ２は、ＤＡＣ３により、記憶した分圧値に応じた減衰量と、ツマミセンター位置での減衰量と、の差分をデジタル音声信号で調整する。
【００４２】
なお、デジタル音声信号をアナログ音声信号にＤ／Ａ変換する際には、ダイナミックレンジ、アナログ伝送上のＳ／Ｎ比の観点など、ＤＡＣ３（デジタル段）でのアッテネートはなるべく抑えたい。そのために、ＤＡＣ３の後段（アナログ段）にポテンショメータ６が設けられており、音量調整が行われる。また、ポテンショメータ６により、無段階調整にも対応可能である。
【００４３】
なお、ユーザーがかなりレベルの大きなところで、音量を設定してしまうと、ツマミのセンター位置が所望の音量設定にならない場合がある。これを回避しようとする場合は、ヘッドルームを持たせるため、ノーマルモードでは、ＤＡＣ３（デジタル段）でヘッドルーム分のアッテネートをする（例えば、−３ｄＢ）。この場合、メモリーモードの最大レベルが、ノーマルモードの最大レベルよりも大きくなる。
【００４４】
以上説明したように、本実施形態では、マイクロコンピュータ２は、可変抵抗ＶＲ３に所定電位を与えた場合の、可変抵抗ＶＲ３による分圧値を記憶している。また、マイクロコンピュータ２は、記憶した分圧値に応じた減衰量が、ツマミのセンター位置での減衰量となるように、スイッチＳＷ１〜ＳＷ８を制御する。このため、ユーザーは、ツマミをセンター位置に位置させれば、所望の位置に可変抵抗ＶＲ１、ＶＲ２を位置させることできる。このように、ツマミ調整のターゲット位置をセンター位置にすることで、ユーザーは、ツマミのセンター位置（１２時の位置）に、目盛がなくても視覚的に合わせやすいというメリットがある。また、ポテンショメータ６にセンタークリック品を用いれば、ユーザーは、感触的にも調整しやすくなる。また、所望の位置にツマミを合わせるために、ＬＥＤ等の表示、効果音等も不要である。
【００４５】
スイッチＳＷ１〜ＳＷ８により、記憶した分圧値に応じた減衰量が、ツマミのセンター位置での減衰量とできない場合がある。このため、本実施形態では、マイクロコンピュータ２は、ツマミのセンター位置での減衰量が、記憶した分圧値に応じた減衰量に最も近くなるように、スイッチＳＷ１〜ＳＷ８を制御する。そして、マイクロコンピュータ２は、ＤＡＣ３により、記憶した分圧値に応じた減衰量と、ツマミセンター位置での減衰量と、の差分をデジタル音声信号で調整する。
【００４６】
また、本実施形態では、マイクロコンピュータ２は、設定スイッチＳＷ１０の操作を受け付けた場合、可変抵抗ＶＲ３に所定電位を与えた場合の、可変抵抗ＶＲ３による分圧値を記憶する。これにより、ユーザーは、設定スイッチＳＷ１０を操作することで、可変抵抗ＶＲ１、ＶＲ２の所望の位置をツマミのセンター位置に設定することができる。
【００４７】
（第２実施形態）
図６は、本発明の第２実施形態に係る音楽再生装置の構成を示す図である。第２実施形態に係る音楽再生装置１０１は、第１実施形態に係る音楽再生装置１と異なり、ポテンショメータ１０６は、ロータリースイッチ付一軸二連ポテンショメータである。また、電源ＶＣＣ又はＤＡＣ３と、可変抵抗ＶＲ２と、を接続するためのスイッチＳＷ１１（第１切替スイッチ）が設けられている。すなわち、スイッチＳＷ１１は、可変抵抗ＶＲ２にＲチャンネルのアナログ音声信号が出力されるか、又は、可変抵抗ＶＲ２に所定電位が与えられるかを切り替えるためのスイッチである。また、可変抵抗ＶＲ２とＡ／ＤポートＡＤＣ１を接続するためのスイッチＳＷ１２（第２切替スイッチ）が設けられている。すなわち、スイッチＳＷ１２は、Ｒチャンネルのアナログ音声信号を出力するか、又は、分圧値を記憶するかを切り替えるためのスイッチである。
【００４８】
マイクロコンピュータ２は、スイッチＳＷ１０のオン操作を受け付けると、スイッチＳＷ１１により、電源ＶＣＣと、可変抵抗ＶＲ２と、を接続する。これにより、可変抵抗ＶＲ２に所定電位が与えられる。また、マイクロコンピュータ２は、スイッチＳＷ１２により、可変抵抗ＶＲ２とＡ／ＤポートＡＤＣ１を接続する。そして、マイクロコンピュータ２は、Ａ／ＤポートＡＤＣ１のＡ／Ｄ値を読み取り、読み取ったＡ／Ｄ値を記憶する。
【００４９】
第２実施形態では、音声信号用の可変抵抗ＶＲ１、ＶＲ２のみが必要となり、別の可変抵抗が不要となる。また、第２実施形態の場合、実際にアナログ音声信号を調整する可変抵抗ＶＲ２をモニターするので、生産工程等で、ポテンショメータ１０６の機械的中点（センタークリックポイント）で各パターンの分圧値（Ａ／Ｄ値）を記憶しておけば、実際の使用時に分圧値を参照することで、センタークリック点における可変抵抗ＶＲ２の中点スペックと実抵抗とのずれを吸収することができる。
【００５０】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５１】
上述の実施形態においては、スイッチＳＷ１〜ＳＷ８により、オフセット抵抗Ｒ１〜Ｒ８による抵抗値を変化させている。これに限らず、抵抗Ｒ１、Ｒ３、Ｒ５、Ｒ７に直列に接続されるスイッチを設け、オフセット抵抗Ｒ１〜Ｒ８による抵抗値を変化させてもよい。この場合、図７〜図９に示すように、パターンが１３になる。
【００５２】
上述の第１実施形態においては、ポテンショメータ６は、ロータリースイッチ付一軸三連ポテンショメータである。これに限らず、例えば、モノラル音声信号の場合、ポテンショメータは、ロータリースイッチ付一軸二連ポテンショメータであってもよい。この場合、一方の可変抵抗がモノラル音声信号用であり、他方の可変抵抗が、一方の可変抵抗の位置を記憶するための可変抵抗となる。
【００５３】
上述の第２実施形態においては、可変抵抗ＶＲ２による分圧値が記憶されるようになっている。これに限らず、可変抵抗ＶＲ１による分圧値が記憶されるようになっていてもよい。この場合、スイッチＳＷ１１、ＳＷ１２は、Ｌチャンネル側に設けられる。
【産業上の利用可能性】
【００５４】
本発明は、ロータリースイッチ付ポテンショメータを有する電子機器に好適に採用され得る。
【符号の説明】
【００５５】
１、１０１  音楽再生装置（電子機器）
２  マイクロコンピュータ（制御部）
３  ＤＡＣ（Ｄ／Ａコンバータ）
４、５  増幅器
６、１０６  ポテンショメータ
Ｒ１  オフセット抵抗（第１オフセット抵抗）
Ｒ２  オフセット抵抗（第２オフセット抵抗）
Ｒ３  オフセット抵抗（第３オフセット抵抗）
Ｒ４  オフセット抵抗（第４オフセット抵抗）
Ｒ５  オフセット抵抗（第５オフセット抵抗）
Ｒ６  オフセット抵抗（第６オフセット抵抗）
Ｒ７  オフセット抵抗（第７オフセット抵抗）
Ｒ８  オフセット抵抗（第８オフセット抵抗）
ＳＷ１  スイッチ（第１スイッチ）
ＳＷ２  スイッチ（第２スイッチ）
ＳＷ３  スイッチ（第３スイッチ）
ＳＷ４  スイッチ（第４スイッチ）
ＳＷ５  スイッチ（第５スイッチ）
ＳＷ６  スイッチ（第６スイッチ）
ＳＷ７  スイッチ（第７スイッチ）
ＳＷ８  スイッチ（第８スイッチ）
ＳＷ９  ロータリースイッチ
ＳＷ１０  スイッチ（設定スイッチ）
ＳＷ１１  スイッチ（第１切替スイッチ）
ＳＷ１２  スイッチ（第２切替スイッチ）
ＶＲ１  可変抵抗（第１可変抵抗）
ＶＲ２  可変抵抗（第２可変抵抗）
ＶＲ３  可変抵抗（第３可変抵抗）
【図１】
2018201178.tif 000003
【図２】
2018201178.tif 000004
【図３】
2018201178.tif 000005
【図４】
2018201178.tif 000006
【図５】
2018201178.tif 000007
【図６】
2018201178.tif 000008
【図７】
2018201178.tif 000009
【図８】
2018201178.tif 000010
【図９】
2018201178.tif 000011